(57)【要約】      （修正有）【課題】上階のオペレータの作業効率を悪化させることなく、上階の糸吸引部のバルブを速やかに閉じることが可能な紡糸引取設備の提供。【解決手段】上階に配置された紡糸装置１００から紡出される糸Ｙを下階に配置された巻取装置１５で巻き取るように構成された紡糸引取装置２を複数備える紡糸引取設備１であって、各紡糸引取装置２は、上階に配置された糸吸引部１７と、糸吸引部１７によって保持されている複数の糸Ｙを上階から下階に降ろす糸降ろし装置１６と、を有する。ある紡糸引取装置２において、糸降ろし装置１６によって下階に降ろされた複数の糸Ｙが、下階の糸掛けロボット３に引き渡されると、下階の糸掛けロボット３又はオペレータに引き渡されたことを示す引渡完了信号を発信する発信部と、その紡糸引取装置２の糸吸引部１７のバルブが自動で閉じられるバルブ制御部と、を備える。【選択図】図１
2020176337.tif 000002
【特許請求の範囲】
【請求項１】
上階に配置された紡糸装置から紡出される複数の糸を下階に配置された巻取装置で巻き取るように構成された紡糸引取装置を複数備える紡糸引取設備であって、
前記各紡糸引取装置は、
前記上階に配置された糸吸引部と、
前記糸吸引部によって保持されている前記複数の糸を前記上階から前記下階に降ろす糸降ろし装置と、
を有しており、
ある前記紡糸引取装置において、前記糸降ろし装置によって前記下階に降ろされた前記複数の糸が、前記下階の糸掛けロボット又はオペレータに引き渡されたことを示す引渡完了信号を発信する発信部と、
前記発信部から前記引渡完了信号が発信されると、前記ある紡糸引取装置の前記糸吸引部のバルブを閉じるバルブ制御部と、
を備えることを特徴とする紡糸引取設備。
【請求項２】
上階に配置された紡糸装置から紡出される複数の糸を下階に配置された巻取装置で巻き取るように構成された紡糸引取装置を複数備える紡糸引取設備であって、
前記各紡糸引取装置は、
前記上階に配置された糸吸引部と、
前記糸吸引部によって保持されている前記複数の糸を前記上階から前記下階に降ろす糸降ろし装置と、
を有しており、
ある前記紡糸引取装置において、前記糸降ろし装置によって前記下階に降ろされた前記複数の糸が、前記下階の糸掛けロボット又はオペレータに引き渡されたことを示す引渡完了信号を発信する発信部と、
前記発信部から前記引渡完了信号が発信されると、前記ある紡糸引取装置において前記複数の糸の引き渡しが完了したことを前記上階のオペレータに報知する報知部と、
を備えることを特徴とする紡糸引取設備。
【請求項３】
前記発信部は、前記糸掛けロボットが所定の動作を実行する際に前記引渡完了信号を発信することを特徴とする請求項１又は２に記載の紡糸引取設備。
【請求項４】
前記糸掛けロボットは、前記糸降ろし装置によって前記下階に降ろされた前記複数の糸を受け取る際に前記複数の糸を切断するカッターを有しており、
前記発信部は、前記糸掛けロボットが前記カッターによって前記複数の糸を切断する際に前記引渡完了信号を発信することを特徴とする請求項３に記載の紡糸引取設備。
【請求項５】
前記発信部は、前記糸掛けロボットが前記カッターによって前記複数の糸を切断するための動作を開始してから所定時間経過後に前記引渡完了信号を発信することを特徴とする請求項４に記載の紡糸引取設備。
【請求項６】
前記複数の紡糸引取装置及び前記糸掛けロボットを制御する集中制御装置を備え、
前記集中制御装置が、前記発信部として前記引渡完了信号を発信することを特徴とする請求項３〜５の何れか１項に記載の紡糸引取設備。
【請求項７】
前記糸掛けロボットが、前記発信部として前記引渡完了信号を発信することを特徴とする請求項３〜５の何れか１項に記載の紡糸引取設備。
【請求項８】
前記糸掛けロボットを呼び出すための呼出部が前記上階に設けられていることを特徴とする請求項１〜７の何れか１項に記載の紡糸引取設備。
【請求項９】
前記下階のオペレータによって糸掛け作業の際に操作される操作部が、前記発信部として前記引渡完了信号を発信することを特徴とする請求項１又は２に記載の紡糸引取設備。
【請求項１０】
前記各紡糸引取装置は、
前記下階において最初に前記複数の糸が掛けられ、且つ、糸掛け作業の際に移動させられる糸規制ガイドと、
前記操作部として、前記糸規制ガイドを移動させるためのガイド操作部と、
を有しており、
前記ガイド操作部が前記糸規制ガイドを移動させるために発信する信号が、前記引渡完了信号として使用されることを特徴とする請求項９に記載の紡糸引取設備。
【請求項１１】
前記各紡糸引取装置は、
糸掛け位置で前記複数の糸が掛けられ、前記複数の糸が掛けられると巻取位置に移動させられるゴデットローラと、
前記操作部として、前記ゴデットローラを前記糸掛け位置から前記巻取位置に移動させるためのゴデットローラ操作部と、
を有しており、
前記ゴデットローラ操作部が前記ゴデットローラを前記糸掛け位置から前記巻取位置に移動させるために発信する信号が、前記引渡完了信号として使用されることを特徴とする請求項９に記載の紡糸引取設備。
【請求項１２】
前記各紡糸引取装置の前記巻取装置は、
前記複数の糸をトラバースさせる際の支点となる複数の支点ガイドと、
前記操作部として、前記複数の支点ガイドに前記複数の糸を掛ける際に前記下階のオペレータによって操作される糸掛け操作部と、
を有しており、
前記下階のオペレータによって操作されたときに前記糸掛け操作部が発信する信号が、前記引渡完了信号として使用されることを特徴とする請求項９に記載の紡糸引取設備。
【請求項１３】
前記複数の支点ガイドは、互いに隣接した状態で前記複数の糸が掛けられ、前記複数の糸が掛けられると互いに離間するように構成されており、
前記糸掛け操作部は、前記複数の支点ガイドを少なくとも互いに離間させるためのものであり、
前記糸掛け操作部が前記複数の支点ガイドを互いに離間させるために発信する信号が、前記引渡完了信号として使用されることを特徴とする請求項１２に記載の紡糸引取設備。
【請求項１４】
前記各紡糸引取装置の前記巻取装置は、前記複数の糸が掛けられた状態で移動することで、前記複数の支点ガイドに前記複数の糸を掛ける糸掛けガイドをさらに有しており、
前記糸掛け操作部は、前記糸掛けガイドを移動させるためのものであり、
前記糸掛け操作部が前記糸掛けガイドを移動させるために発信する信号が、前記引渡完了信号として使用されることを特徴とする請求項１２に記載の紡糸引取設備。
【請求項１５】
前記各紡糸引取装置の前記巻取装置は、前記操作部として、前記巻取装置に前記複数の糸の巻き取りを開始させるための巻取操作部を有しており、
前記巻取操作部が前記巻取装置に前記複数の糸の巻き取りを開始させるために発信する信号が、前記引渡完了信号として使用されることを特徴とする請求項９に記載の紡糸引取設備。
【発明の詳細な説明】
【技術分野】
【０００１】
本発明は、上階に配置された紡糸装置から紡出される糸を下階に配置された巻取装置で巻き取るように構成された紡糸引取装置を複数備える紡糸引取設備に関する。
【背景技術】
【０００２】
例えば特許文献１に記載の紡糸引取設備は、上階に配置された紡糸装置から紡出される糸を下階に配置された巻取装置で巻き取るように構成された紡糸引取装置を複数備えている。各紡糸引取装置において糸掛け作業を行う際には、まず、上階のオペレータが紡糸装置から紡出される複数の糸を上階に配置されている糸吸引部に保持させる。続いて、糸吸引部に保持されている複数の糸を糸降ろし装置によって下階に降ろし、下階に配置されている糸保持部に保持させる。その後、適宜のタイミングで下階のオペレータが糸保持部に保持されている複数の糸をサクションガンで受け取り、サクションガンを適切に取り回すことによって巻取装置までの糸掛けを行う。
【先行技術文献】
【特許文献】
【０００３】
【特許文献１】ＷＯ２０１５／１９８６９８
【発明の概要】
【発明が解決しようとする課題】
【０００４】
特許文献１において下階に設けられている糸保持部は、吸引力によって糸を保持するように構成されており、吸引力の大きさや糸の張力によっては糸降ろし装置から糸保持部への糸の引き渡しに失敗することがあった。このため、下階における糸の引き渡しを確実に行うためには、糸降ろし装置によって下階に降ろされた糸を下階のオペレータ（又は糸掛けロボットでもよい）に直接引き渡すことが好ましい。
【０００５】
紡糸引取装置下階に降ろされた糸をオペレータ又は糸掛けロボットに直接引き渡す場合、上階の糸吸引部が無駄に作動し続けることを回避するため、下階での糸の引き渡しが終わり次第できるだけ速やかに上階の糸吸引部のバルブを閉じる必要がある。しかしながら、上階のオペレータが下階での糸の引き渡しが終わるまで待機しておくのは作業効率が悪いため、上階のオペレータは糸降ろし装置を作動させるとその場を離れることが多い。このため、下階での糸の引き渡しが終わったにもかかわらず、上階の糸吸引部のバルブが開いたままで放置される時間が長くなりがちだった。そうすると、他の紡糸引取装置の糸吸引部の吸引力が不足し、他の紡糸引取装置で糸降ろしができなくなるおそれがあった。
【０００６】
本発明は、以上の課題に鑑みてなされたものであり、上階のオペレータの作業効率を悪化させることなく、上階の糸吸引部のバルブを速やかに閉じることが可能な紡糸引取設備を提供することを目的とする。
【課題を解決するための手段】
【０００７】
本発明の第１態様は、上階に配置された紡糸装置から紡出される複数の糸を下階に配置された巻取装置で巻き取るように構成された紡糸引取装置を複数備える紡糸引取設備であって、前記各紡糸引取装置は、前記上階に配置された糸吸引部と、前記糸吸引部によって保持されている前記複数の糸を前記上階から前記下階に降ろす糸降ろし装置と、を有しており、ある前記紡糸引取装置において、前記糸降ろし装置によって前記下階に降ろされた前記複数の糸が、前記下階の糸掛けロボット又はオペレータに引き渡されたことを示す引渡完了信号を発信する発信部と、前記発信部から前記引渡完了信号が発信されると、前記ある紡糸引取装置の前記糸吸引部のバルブを閉じるバルブ制御部と、を備えることを特徴とする。
【０００８】
本発明の第１態様によれば、下階での糸の引き渡しが終わると、発信部から引渡完了信号が発信され、それを受けてバルブ制御部が糸吸引部のバルブを閉じる。つまり、上階のオペレータが下階での糸の引き渡しが終わるまでその場で待機していなくても、糸の引き渡しが終われば糸吸引部のバルブが自動で閉じられる。したがって、上階のオペレータの作業効率を悪化させることなく、上階の糸吸引部のバルブを速やかに閉じることが可能となる。
【０００９】
本発明の第２態様は、上階に配置された紡糸装置から紡出される複数の糸を下階に配置された巻取装置で巻き取るように構成された紡糸引取装置を複数備える紡糸引取設備であって、前記各紡糸引取装置は、前記上階に配置された糸吸引部と、前記糸吸引部によって保持されている前記複数の糸を前記上階から前記下階に降ろす糸降ろし装置と、を有しており、ある前記紡糸引取装置において、前記糸降ろし装置によって前記下階に降ろされた前記複数の糸が、前記下階の糸掛けロボット又はオペレータに引き渡されたことを示す引渡完了信号を発信する発信部と、前記発信部から前記引渡完了信号が発信されると、前記ある紡糸引取装置において前記複数の糸の引き渡しが完了したことを前記上階のオペレータに報知する報知部と、を備えることを特徴とする。
【００１０】
本発明の第２態様によれば、下階での糸の引き渡しが終わると、発信部から引渡完了信号が発信され、そのことが報知部によって上階のオペレータに報知される。つまり、上階のオペレータが下階での糸の引き渡しが終わるまでその場で待機していなくても、糸の引き渡しが終われば報知部が作動することで、糸の引き渡しが終わったことをすぐに知ることができる。したがって、上階のオペレータの作業効率を悪化させることなく、上階の糸吸引部のバルブを速やかに閉じることが可能となる。
【００１１】
本発明において、前記発信部は、前記糸掛けロボットが所定の動作を実行する際に前記引渡完了信号を発信するとよい。
【００１２】
こうすれば、糸掛けロボットが所定の動作を実行すれば、発信部から自動的に引渡完了信号が発信されるので、引渡完了信号を発信し損ねるということがない。したがって、糸吸引部のバルブを確実に閉じることができる。
【００１３】
本発明において、前記糸掛けロボットは、前記糸降ろし装置によって前記下階に降ろされた前記複数の糸を受け取る際に前記複数の糸を切断するカッターを有しており、前記発信部は、前記糸掛けロボットが前記カッターによって前記複数の糸を切断する際に前記引渡完了信号を発信するとよい。
【００１４】
一般的に、糸掛けロボットは、カッターで切断した複数の糸をサクションで吸引するように構成されている。つまり、カッターで複数の糸を切断するのと略同時又は直後に、下階での糸の引き渡しが完了することになる。したがって、上述の構成によれば、糸の引き渡しと略同時に引渡完了信号を発信することになるので、より速やかに糸吸引部のバルブを閉めることが可能となる。
【００１５】
本発明において、前記発信部は、前記糸掛けロボットが前記カッターによって前記複数の糸を切断するための動作を開始してから所定時間経過後に前記引渡完了信号を発信するとよい。
【００１６】
糸掛けロボットでは、カッターで複数の糸を切断するための動作を開始してから全ての糸をサクションで吸引した状態となるまでに多少の時間を要することがある。そこで、上述のように、引渡完了信号を発信するまでに所定時間待機しておくことで、下階での糸の引き渡しが確実に完了してから引渡完了信号を発信することができる。
【００１７】
本発明において、前記複数の紡糸引取装置及び前記糸掛けロボットを制御する集中制御装置を備え、前記集中制御装置が、前記発信部として前記引渡完了信号を発信するとよい。
【００１８】
このように、集中制御装置を発信部として機能させることで、新たな発信部を設ける必要がない。したがって、コストを抑えることができる。また、集中制御装置は他の制御装置と比べて一般的に高スペックであるので、データ通信をスムーズに行うことができ、その他の装置との連携が取りやすい。
【００１９】
本発明において、前記糸掛けロボットが、前記発信部として前記引渡完了信号を発信するとよい。
【００２０】
このように、糸掛けロボットを発信部として機能させることで、新たな発信部を設ける必要がない。したがって、コストを抑えることができる。また、この場合、集中制御装置を省略することが可能となり、糸掛けロボットが他の制御部と直接やり取りすることが可能となる。
【００２１】
本発明において、前記糸掛けロボットを呼び出すための呼出部が前記上階に設けられているとよい。
【００２２】
このような呼出部を上階に設ければ、上階のオペレータは糸降ろしを行った後、糸掛けロボットを呼び出しさえすればその場を離れることができる。したがって、上階のオペレータの作業効率を向上させることができる。
【００２３】
本発明において、前記下階のオペレータによって糸掛け作業の際に操作される操作部が、前記発信部として前記引渡完了信号を発信するとよい。
【００２４】
このように、糸掛け作業の際にオペレータが操作する操作部を発信部として機能させることで、新たな発信部を設ける必要がない。したがって、コストを抑えることができる。
【００２５】
本発明において、前記各紡糸引取装置は、前記下階において最初に前記複数の糸が掛けられ、且つ、糸掛け作業の際に移動させられる糸規制ガイドと、前記操作部として、前記糸規制ガイドを移動させるためのガイド操作部と、を有しており、前記ガイド操作部が前記糸規制ガイドを移動させるために発信する信号が、前記引渡完了信号として使用されるとよい。
【００２６】
こうすれば、下階において最初の糸規制ガイドに糸を掛けるタイミングで引渡完了信号を発信することができる。つまり、下階のオペレータに糸が引き渡されてすぐに引渡完了信号を発信することができるので、上階の糸吸引部のバルブをより速やかに閉じることができる。
【００２７】
本発明において、前記各紡糸引取装置は、糸掛け位置で前記複数の糸が掛けられ、前記複数の糸が掛けられると巻取位置に移動させられるゴデットローラと、前記操作部として、前記ゴデットローラを前記糸掛け位置から前記巻取位置に移動させるためのゴデットローラ操作部と、を有しており、前記ゴデットローラ操作部が前記ゴデットローラを前記糸掛け位置から前記巻取位置に移動させるために発信する信号が、前記引渡完了信号として使用されるとよい。
【００２８】
こうすれば、ゴデットローラに糸を掛け終わったタイミングで引渡完了信号を発信することができる。
【００２９】
本発明において、前記各紡糸引取装置の前記巻取装置は、前記複数の糸をトラバースさせる際の支点となる複数の支点ガイドと、前記操作部として、前記複数の支点ガイドに前記複数の糸を掛ける際に前記下階のオペレータによって操作される糸掛け操作部と、を有しており、前記下階のオペレータによって操作されたときに前記糸掛け操作部が発信する信号が、前記引渡完了信号として使用されるとよい。
【００３０】
こうすれば、複数の支点ガイドに糸を掛ける際に引渡完了信号を発信することができる。
【００３１】
本発明において、前記複数の支点ガイドは、互いに隣接した状態で前記複数の糸が掛けられ、前記複数の糸が掛けられると互いに離間するように構成されており、前記糸掛け操作部は、前記複数の支点ガイドを少なくとも互いに離間させるためのものであり、前記糸掛け操作部が前記複数の支点ガイドを互いに離間させるために発信する信号が、前記引渡完了信号として使用されるとよい。
【００３２】
こうすれば、複数の支点ガイドに糸を掛け終わったタイミングで引渡完了信号を発信することができる。
【００３３】
本発明において、前記各紡糸引取装置の前記巻取装置は、前記複数の糸が掛けられた状態で移動することで、前記複数の支点ガイドに前記複数の糸を掛ける糸掛けガイドをさらに有しており、前記糸掛け操作部は、前記糸掛けガイドを移動させるためのものであり、前記糸掛け操作部が前記糸掛けガイドを移動させるために発信する信号が、前記引渡完了信号として使用されるとよい。
【００３４】
こうすれば、糸掛けガイドに糸を掛け終わったタイミングで引渡完了信号を発信することができる。
【００３５】
本発明において、前記各紡糸引取装置の前記巻取装置は、前記操作部として、前記巻取装置に前記複数の糸の巻き取りを開始させるための巻取操作部を有しており、前記巻取操作部が前記巻取装置に前記複数の糸の巻き取りを開始させるために発信する信号が、前記引渡完了信号として使用されるとよい。
【００３６】
こうすれば、巻取装置で糸の巻き取りを開始するタイミングで引渡完了信号を発信することができる。
【図面の簡単な説明】
【００３７】
【図１】第１実施形態に係る紡糸引取設備の概略構成図である。
【図２】第１実施形態に係る紡糸引取装置の概略構成図である。
【図３】第１実施形態に係る紡糸引取設備の電気的構成を示すブロック図である。
【図４】ａ図は、巻取時の支点ガイドの状態を示す図であり、ｂ図は、糸掛け時の支点ガイドの状態を示す図である。
【図５】糸降ろし装置の斜視図である。
【図６】糸降ろし作業及び糸掛け作業の様子を示す図である。
【図７】糸降ろし作業及び糸掛け作業の様子を示す図である。
【図８】糸降ろし作業及び糸掛け作業の様子を示す図である。
【図９】糸降ろし作業及び糸掛け作業の様子を示す図である。
【図１０】糸降ろし作業及び糸掛け作業の様子を示す図である。
【図１１】第２実施形態に係る紡糸引取装置の概略構成図である。
【図１２】第２実施形態に係る紡糸引取設備の電気的構成を示すブロック図である。
【発明を実施するための形態】
【００３８】
［第１実施形態］
以下、図面を参照しつつ、本発明の第１実施形態について説明する。図１は、第１実施形態に係る紡糸引取設備の概略構成図である。図２は、第１実施形態に係る紡糸引取装置の概略構成図である。図３は、第１実施形態に係る紡糸引取設備の電気的構成を示すブロック図である。紡糸引取設備１及び紡糸引取装置２の方向は、図１及び図２に示すように定義する。また、図３では、紙面の都合上、紡糸引取装置２については１つのみを図示している。
【００３９】
（紡糸引取設備）
紡糸引取設備１が配置されている建屋は、仕切床５によって下階（１階）と上階（２階）とに仕切られている。図１に示すように、上階には、複数の紡糸装置１００が左右方向に並んで配置されている。紡糸引取設備１は、各紡糸装置１００から紡出される複数の糸Ｙ（具体的には合成繊維糸）を複数のボビンＢにそれぞれ巻き取り、複数のパッケージＰを形成するための設備である。紡糸引取設備１は、複数の紡糸引取装置２と、糸掛けロボット３と、集中制御装置４（図３参照）とを備える。
【００４０】
（紡糸引取装置）
複数の紡糸引取装置２は、各紡糸装置１００に対応して左右方向に並んで配置されている。図２に示すように、各紡糸引取装置２は、油剤ガイド１１と、糸規制ガイド１２と、第１ゴデットローラ１３と、第２ゴデットローラ１４と、巻取装置１５と、糸降ろし装置１６と、糸吸引部１７と、引取制御部１８（図３参照）とを有する。各紡糸引取装置２は、対応する紡糸装置１００から紡出される複数の糸Ｙを巻取装置１５で巻き取るように構成されている。
【００４１】
油剤ガイド１１は、上階に設けられており、紡糸装置１００の下方に配置されている。油剤ガイド１１は、図１では図示を省略しているが、紡糸装置１００から紡出される糸Ｙの本数（本実施形態では８本）と同じ数だけ左右方向に並んでいる。紡糸装置１００から紡出された複数の糸Ｙは、それぞれ対応する油剤ガイド１１において油剤が付与される。油剤が付与された複数の糸Ｙは、仕切床５に形成された糸通過穴５ａを通って下階に至る。
【００４２】
糸規制ガイド１２は、下階に設けられており、下階に降ろされた複数の糸Ｙが最初に掛けられるガイドである。糸規制ガイド１２は、第１ゴデットローラ１３の軸方向（左右方向）において、第１ゴデットローラ１３と重複する巻取位置（図１の実線参照）と、第１ゴデットローラ１３と重複しない糸掛け位置（図１の一点鎖線参照）との間で移動可能である。糸規制ガイド１２の移動は、例えばシリンダからなるガイド駆動部５１（図３参照）によって行われる。糸規制ガイド１２への糸掛け時には、糸掛けを行いやすくするため、糸規制ガイド１２は糸掛け位置に移動させられる。糸掛けが終了すると、糸規制ガイド１２は巻取位置に戻される。
【００４３】
第１ゴデットローラ１３及び第２ゴデットローラ１４は、下階に設けられており、複数の糸Ｙを巻取装置１５へ送る。第１ゴデットローラ１３及び第２ゴデットローラ１４は、それぞれ不図示のモータによって回転駆動される。第１ゴデットローラ１３は、糸規制ガイド１２の下方且つ近傍に配置されている。第２ゴデットローラ１４は、巻取装置１５の上方の巻取位置（図２の実線参照）と、第１ゴデットローラ１３の近傍の糸掛け位置（図２の一点鎖線参照）との間で移動可能である。第２ゴデットローラ１４の移動は、例えばシリンダからなるゴデットローラ駆動部５２（図３参照）によって行われる。第１ゴデットローラ１３及び第２ゴデットローラ１４への糸掛け時には、糸掛けを行いやすくするため、第２ゴデットローラ１４は糸掛け位置に下降させられる。糸掛けが終了すると、ゴデットローラ１４は巻取位置に上昇させられる。
【００４４】
巻取装置１５は、下階に設けられており、複数の糸Ｙを複数のボビンＢに巻き取って複数のパッケージＰを形成する。巻取装置１５は、ターレット２１と、２本のボビンホルダ２２と、コンタクトローラ２３と、複数の支点ガイド２４と、複数のトラバースガイド２５と、巻取制御部２６（図３参照）とを有する。ターレット２１は、不図示のモータによって回転駆動される円盤状の部材であり、２本のボビンホルダ２２を回転可能に片持ち支持する。ターレット２１が回転することによって、２本のボビンホルダ２２の位置が上下に切り換えられる。各ボビンホルダ２２には、複数のボビンＢが装着される。各ボビンホルダ２２は、ボビンホルダモータ５３（図３参照）によって回転駆動される。コンタクトローラ２３は、上側のボビンホルダ２２に支持されている複数のパッケージＰに接触し、複数のパッケージＰに接圧を付与する。
【００４５】
複数の支点ガイド２４及び複数のトラバースガイド２５は、ともに前後方向に並んでおり、１対１で対応している。糸Ｙは、支点ガイド２４に掛けられた後、対応するトラバースガイド２５に掛けられる。複数のトラバースガイド２５は、例えばモータからなるトラバース駆動部５４（図３参照）によって前後方向に往復駆動される。巻取制御部２６は、巻取装置１５の各部の動作を制御する。巻取制御部２６は、上側のボビンホルダ２２をボビンホルダモータ５３によって回転させながら、複数のトラバースガイド２５をトラバース駆動部５４によって前後方向に往復移動させる巻取動作を実行可能である。巻取動作によって、複数の糸Ｙが各支点ガイド２４を中心にトラバースされつつ複数のボビンＢに巻き取られて、複数のパッケージＰが形成される。
【００４６】
図４のａ図は、巻取時の支点ガイド２４の状態を示す図であり、図４のｂ図は、糸掛け時の支点ガイド２４の状態を示す図である。複数の支点ガイド２４は、複数のスライダ２７を介して、前後方向に延びるガイドレール２８に移動可能に取り付けられている。複数の支点ガイド２４は、等間隔で互いに離間した状態となる巻取位置（図２及び図４のａ図参照）と、ガイドレール２８の前端部に集合して互いに隣接した状態となる糸掛け位置（図４のｂ図参照）との間で移動可能である。複数の支点ガイド２４（複数のスライダ２７）の移動は、例えばシリンダからなる支点ガイド駆動部５５（図３参照）によって行われる。複数の支点ガイド２４への糸掛け時には、糸掛けを行いやすくするため、複数の支点ガイド２４は糸掛け位置に移動させられる。糸掛けが終了すると、複数の支点ガイド２４は巻取位置に戻される。
【００４７】
糸降ろし装置１６は、紡糸装置１００から紡出された複数の糸Ｙを上階から下階に降ろすための装置である。図５は、糸降ろし装置１６の斜視図である。糸降ろし装置１６は、ガイド部材３１及び移動部３２を有する。ガイド部材３１は、仕切床５に形成された糸通過穴５ａを貫通しており、下階と上階とにまたがって上下方向に延びている。移動部３２は、ガイド部材３１によって上下方向に移動可能に支持されている。移動部３２は、上階の待機位置（図２の実線参照）と、下階の糸規制ガイド１２の近傍の引渡位置（図２の一点鎖線参照）との間で昇降可能である。移動部３２の移動は、例えばモータからなる糸降ろし駆動部３６（図３参照）によって行われる。上階には、移動部３２を昇降させるための操作スイッチ３７が設けられている。
【００４８】
移動部３２は、支持部材３３と、ローラ３４と、集束ガイド３５とを有する。支持部材３３は、鉛直面に略平行な板状部材であり、ガイド部材３１に上下方向に移動可能に取り付けられている。ローラ３４は回転自在なローラであり、その回転軸が略水平となるように支持部材３３の側面部に支持されている。ローラ３４には、紡糸装置１００から紡出された複数の糸Ｙが巻き掛けられる。集束ガイド３５は、Ｕ字状の平面形状を有しており、ローラ３４の上方において支持部材３３の側面部に取り付けられている。集束ガイド３５には、ローラ３４に巻き掛けられる前の複数の糸Ｙが掛けられる。ローラ３４に複数の糸Ｙが巻き掛けられた状態で、移動部３２が上階の待機位置から下階の引渡位置に移動することで、複数の糸Ｙを上階から下階へと降ろすことができる。
【００４９】
糸吸引部１７は、上階に設けられており、糸通過穴５ａの近傍に配置されている。糸吸引部１７は、糸降ろし装置１６によって複数の糸Ｙを下階に降ろす際に、一時的に複数の糸Ｙを吸引して保持する。糸吸引部１７は、圧縮流体の流れによって吸引口１７ａに吸引力を発生させるように構成されている。糸吸引部１７には、電磁バルブ１９（図３参照）が設けられている。電磁バルブ１９を開くと、糸吸引部１７に圧縮流体が供給され、吸引口１７ａに吸引力が発生する。一方、電磁バルブ１９を閉じると、糸吸引部１７に圧縮流体は供給されず、吸引口１７ａに吸引力は発生しない。各紡糸引取装置２の糸吸引部１７には、不図示の共通の配管によって圧縮流体が供給される。
【００５０】
引取制御部１８は、図３に示すように、紡糸引取装置２の各部の動作を制御する。引取制御部１８は、主に、巻取装置１５に含まれないガイド駆動部５１、ゴデットローラ駆動部５２、糸降ろし駆動部３６、電磁バルブ１９等の動作を制御する。引取制御部１８には、操作スイッチ３７からの信号が入力される。引取制御部１８は、集中制御装置４及び巻取制御部２６のそれぞれと互いに信号を送受信可能に接続されている。
【００５１】
（糸掛けロボット）
糸掛けロボット３は、図１及び図２に示すように下階に設けられており、複数の紡糸引取装置２に自動で糸掛け作業を行う装置である。糸掛けロボット３は、本体部４１と、ロボットアーム４２と、サクション４３と、カッター４４と、ロボット制御部４５（図３参照）とを有する。本体部４１は、左右方向に延びるガイドレール４０に移動可能に支持されており、移動用モータ４６（図３参照）によって移動させられる。ロボットアーム４２は、本体部４１に取り付けられており、アーム駆動モータ４７（図３参照）によって駆動されることで三次元的な動作を行うことができる。ロボットアーム４２の先端部には、サクション４３及びカッター４４が取り付けられている。サクション４３は、複数の糸Ｙを吸引して保持する。カッター４４は、複数の糸Ｙを切断する。カッター４４は、例えばシリンダからなるカッター駆動部４８（図３参照）によって作動される。ロボット制御部４５は、糸掛けロボット３の各部の動作を制御する。上階には、糸掛けロボット３の位置や動作状況を表示するとともに、糸掛けロボット３を呼び出すための操作パネル４９が配置されている。
【００５２】
（集中制御装置）
図３に示すように、集中制御装置４は、各紡糸引取装置２の引取制御部１８及びロボット制御部４５のそれぞれと互いに信号を送受信可能に接続されており、複数の紡糸引取装置２及び糸掛けロボット３を制御する。また、集中制御装置４は、操作パネル４９とも互いに信号を送受信可能に接続されている。操作パネル４９によってある紡糸引取装置２に糸掛けロボット３を呼び出すための操作を行うと、操作パネル４９から集中制御装置４に呼出信号が送信される。そして、呼出信号を受信した集中制御装置４は、糸掛けロボット３をその紡糸引取装置２に移動させるようにロボット制御部４５に対して指令を発する。
【００５３】
（糸掛け作業）
ある紡糸引取装置２において、例えばパッケージ生産開始時や糸切れ発生時等に、巻取装置１５による巻き取りを開始（再開）する際には、上階の紡糸装置１００から紡出された複数の糸Ｙを下階に降ろし、巻取装置１５まで糸掛けを行う必要がある。本実施形態では、複数の糸Ｙを下階に降ろす糸降ろし作業は上階のオペレータが行い、下階における糸掛け作業は下階の糸掛けロボット３が行う。これらの糸降ろし作業及び糸掛け作業の一連の流れについて、図６〜図１０を参照しつつ詳しく説明する。
【００５４】
糸降ろし作業及び糸掛け作業の対象となる紡糸引取装置２においては、糸降ろし作業を行う前に、引取制御部１８によって、糸吸引部１７の電磁バルブ１９が開かれるとともに、糸降ろし装置１６の移動部３２が上階の待機位置で待機させられる。なお、これらの準備は上階のオペレータによって行われてもよい。
【００５５】
まず、上階のオペレータは、図６に示すように、紡糸装置１００から紡出される複数の糸Ｙを糸吸引部１７に導き、複数の糸Ｙを糸吸引部１７に吸引保持させる。続けて、上階のオペレータは、図７に示すように、紡糸装置１００から紡出される複数の糸Ｙを油剤ガイド１１に掛け、さらに、糸降ろし装置１６の集束ガイド３５及びローラ３４に掛ける。集束ガイド３５及びローラ３４への糸掛けが終わったら、上階のオペレータは、操作スイッチ３７を操作して、糸降ろし装置１６の移動部３２を下階の引渡位置に移動させる。すると、図８に示すように、糸吸引部１７に保持されている複数の糸Ｙの一部が下階に位置するようになる。
【００５６】
次に、上階のオペレータは、操作パネル４９を操作して、下階の糸掛けロボット３を糸掛け作業の対象の紡糸引取装置２に呼び出す。集中制御装置４は、操作パネル４９からの呼出信号を受けると、糸掛けロボット３を対象の紡糸引取装置２に移動させるように指令を発する。糸掛けロボット３は、その指令を受けて、対象の紡糸引取装置２まで移動する。
【００５７】
対象の紡糸引取装置２に到着した糸掛けロボット３は、ロボットアーム４２を動かしてサクション４３及びカッター４４を複数の糸Ｙに近接させる。より詳細には、サクション４３及びカッター４４を、糸降ろし装置１６の移動部３２よりも糸走行方向上流側において複数の糸Ｙに近接させる。この状態で、カッター４４を作動させて複数の糸Ｙを切断すると、図９に示すように、サクション４３によって複数の糸Ｙが吸引保持される。こうして、紡糸装置１００から紡出される複数の糸Ｙが、糸降ろし装置１６から糸掛けロボット３へと引き渡される。糸掛けロボット３へ複数の糸Ｙが引き渡された後、適宜のタイミングで移動部３２は上階の待機位置へと戻される。
【００５８】
糸掛けロボット３は、複数の糸Ｙを受け取ると、糸規制ガイド１２、第１ゴデットローラ１３、第２ゴデットローラ１４、複数の支点ガイド２４に順番に糸掛けを行う。なお、糸掛けロボット３による糸掛けが行われる前に、糸規制ガイド１２、第２ゴデットローラ１４及び複数の支点ガイド２４は、それぞれの糸掛け位置に予め移動させられる。これらの移動は、引取制御部１８によって実行されるものとするが、下階にオペレータがいる場合はオペレータが行ってもよい。
【００５９】
糸掛けロボット３は、図１０に示すように、サクション４３に保持されている複数の糸Ｙを、糸規制ガイド１２、第１ゴデットローラ１３、第２ゴデットローラ１４に順番に掛けていく。糸規制ガイド１２への糸掛けが終わると、糸規制ガイド１２は巻取位置に戻される。また、第２ゴデットローラ１４については、第２ゴデットローラ１４への糸掛けが終わった時点で巻取位置に戻してもよいが、本実施形態では、後述のように、複数の支点ガイド２４への糸掛けが終わってから巻取位置に戻している。
【００６０】
次に、糸掛けロボット３は、糸掛け位置にある複数の支点ガイド２４（図４のｂ図参照）に糸掛けを行う。この工程についての詳細については、例えば特開２０１８−６６０８８号公報等を参照されたい。複数の支点ガイド２４への糸掛けが終わると、第２ゴデットローラ１４を巻取位置に戻すとともに、複数の支点ガイド２４を巻取位置（図４のａ図参照）に戻す。続けて、糸掛けロボット３は、上側のボビンホルダ２２よりも下方の所定位置にサクション４３を移動させ、複数の糸Ｙを複数のボビンＢに接触させる。それから、巻取制御部２６によって巻取動作が実行される。巻取動作が開始されると、複数のトラバースガイド２５が前後方向に往復移動する過程で、複数のトラバースガイド２５に複数の糸Ｙが掛かる。また、複数のボビンＢに形成されている不図示のスリットに複数の糸Ｙが引っ掛かると、複数の糸Ｙが切断され、複数の糸Ｙが複数のボビンＢに巻き取られるようになる。こうして、一連の糸降ろし作業及び糸掛け作業は終了する。
【００６１】
なお、糸掛け作業を適切に実行するためには、糸掛けロボット３による糸掛け作業の進行状況に応じて、引取制御部１８及び巻取制御部２６が適切なタイミングで各部を動作させる必要がある。このタイミングは、糸掛けロボット３が糸掛け作業を開始してからの経過時間に応じて決められていてもよい。また、糸掛けロボット３が所定の作業を終わるたびに、そのことを示す信号を糸掛けロボット３が引取制御部１８及び巻取制御部２６に送信するようにしてもよい。あるいは、紡糸引取装置２及び巻取装置１５の各部に、複数の糸Ｙが掛けられたことを検出可能なセンサ等が設けられていてもよい。
【００６２】
（糸吸引部の自動停止）
既に説明したように、各紡糸引取装置２の糸吸引部１７には、共通の配管によって圧縮流体が供給されるように構成されている。このため、ある紡糸引取装置２の糸吸引部１７の電磁バルブ１９が開きっぱなしだと、他の紡糸引取装置２の糸吸引部１７に供給される圧縮流体が不十分となり、吸引力不足で糸降ろしが行えなくなるおそれがあった。一方、下階での複数の糸Ｙの引き渡しが終わるまで、上階のオペレータがその場で待機し、複数の糸Ｙの引き渡し完了後に電磁バルブ１９を閉じるとなると、オペレータの作業効率が悪化する。そこで、本実施形態では、ある紡糸引取装置２において糸降ろし装置１６から糸掛けロボット３への複数の糸Ｙの引き渡しが終わると、自動で電磁バルブ１９を閉じるように構成している。以下、詳細について説明する。
【００６３】
集中制御装置４は、ある紡糸引取装置２において下階で糸Ｙの引き渡しを行う際、ロボット制御部４５に切断指令を発する。さらに、集中制御装置４は、切断指令を発してから所定時間経過後（例えば３秒後）に、糸Ｙの引き渡しが完了したことを示す引渡完了信号を引取制御部１８に送信する。つまり、本実施形態では、集中制御装置４が本発明の「発信部」として機能する。ロボット制御部４５は、切断指令を受けると、カッター４４によって複数の糸Ｙを切断する。また、引取制御部１８は、集中制御装置４からの引渡完了信号を受信すると、電磁バルブ１９を閉じる。
【００６４】
ここで、集中制御装置４は、切断指令を発するのと略同時に引渡完了信号を発信してもよい。しかしそうすると、まだ全ての糸Ｙがカッター４４によって切断されていない、あるいは、サクション４３によって吸引保持されていない状態で、電磁バルブ１９を閉じてしまい、糸Ｙの引き渡しに失敗することもあり得る。そこで、本実施形態では、集中制御装置４が切断指令を発してから、すなわち、糸掛けロボット３がカッター４４によって複数の糸Ｙを切断するための動作を開始してから所定時間経過後に、引渡完了信号を発信するようにしている。こうすることで、全ての糸Ｙの引き渡しが終わっていないのに、電磁バルブ１９を閉じてしまうことを確実に回避することができる。
【００６５】
（効果）
第１実施形態では、下階での糸Ｙの引き渡しが終わると、集中制御装置４（発信部）から引渡完了信号が発信され、それを受けて引取制御部１８（バルブ制御部）が糸吸引部１７の電磁バルブ１９（バルブ）を閉じる。つまり、上階のオペレータが下階での糸Ｙの引き渡しが終わるまでその場で待機していなくても、糸Ｙの引き渡しが終われば糸吸引部１７の電磁バルブ１９が自動で閉じられる。したがって、上階のオペレータの作業効率を悪化させることなく、上階の糸吸引部１７の電磁バルブ１９を速やかに閉じることが可能となる。
【００６６】
第１実施形態では、集中制御装置４は、糸掛けロボット３が所定の動作（カッター４４によって複数の糸Ｙを切断するための動作）を実行する際に引渡完了信号を発信する。こうすれば、糸掛けロボット３が所定の動作を実行すれば、集中制御装置４から自動的に引渡完了信号が発信されるので、引渡完了信号を発信し損ねるということがない。したがって、糸吸引部１７の電磁バルブ１９を確実に閉じることができる。
【００６７】
第１実施形態では、集中制御装置４は、糸掛けロボット３がカッター４４によって複数の糸Ｙを切断する際に引渡完了信号を発信する。糸掛けロボット３は、カッター４４で切断した複数の糸Ｙをサクション４３で吸引するように構成されている。つまり、カッター４４で複数の糸Ｙを切断するのと略同時又は直後に、下階での糸Ｙの引き渡しが完了することになる。したがって、上述の構成によれば、糸Ｙの引き渡しと略同時に引渡完了信号を発信することになるので、より速やかに糸吸引部１７の電磁バルブ１９を閉めることが可能となる。
【００６８】
第１実施形態では、集中制御装置４は、糸掛けロボット３がカッター４４によって複数の糸Ｙを切断するための動作を開始してから所定時間経過後に引渡完了信号を発信する。糸掛けロボット３では、カッター４４で複数の糸Ｙを切断するための動作を開始してから全ての糸Ｙをサクション４３で吸引した状態となるまでに多少の時間を要することがある。そこで、上述のように、引渡完了信号を発信するまでに所定時間待機しておくことで、下階での糸Ｙの引き渡しが確実に完了してから引渡完了信号を発信することができる。
【００６９】
第１実施形態では、集中制御装置４が、本発明の発信部として引渡完了信号を発信する。このように、集中制御装置４を発信部として機能させることで、新たな発信部を設ける必要がない。したがって、コストを抑えることができる。また、集中制御装置４は他の制御装置（引取制御部１８やロボット制御部４５等）と比べて一般的に高スペックであるので、データ通信をスムーズに行うことができ、その他の装置との連携が取りやすい。
【００７０】
第１実施形態では、糸掛けロボット３を呼び出すための操作パネル４９（呼出部）が上階に設けられている。このような操作パネル４９を上階に設ければ、上階のオペレータは糸降ろしを行った後、糸掛けロボット３を呼び出しさえすればその場を離れることができる。したがって、上階のオペレータの作業効率を向上させることができる。
【００７１】
［第２実施形態］
本発明の第２実施形態について、図１１及び図１２を参照しつつ説明する。第２実施形態のうち、第１実施形態と共通する構成及びそれによって奏される効果については説明を省略し、第１実施形態と異なる点を中心に説明する。図１１は、第２実施形態に係る紡糸引取装置２の概略構成図である。図１２は、第２実施形態に係る紡糸引取設備１の電気的構成を示すブロック図である。
【００７２】
本実施形態における糸降ろし作業は、第１実施形態における糸降ろし作業と基本的に同じである。しかし、本実施形態では、下階における糸掛け作業を糸掛けロボットではなく下階のオペレータが行う点が、第１実施形態と大きく異なる。また、本実施形態の糸吸引部１７のバルブの開閉は、第１実施形態のように引取制御部１８によって自動で行われるのではなく、上階のオペレータによって手動で行われる。そのため、ある紡糸引取装置２の下階で糸Ｙの引き渡しが終わったら、そのことを上階のオペレータに報知するための報知部６５が上階に設けられている。報知部６５は、例えば光や音によって、上階のオペレータに下階での糸Ｙの引き渡しが終わったことを報知する。
【００７３】
本実施形態の紡糸引取装置２には、ガイド操作部６１、ゴデットローラ操作部６２、支点ガイド操作部６３、及び、巻取操作部６４が設けられている。これらの操作部６１〜６４は、下階のオペレータが糸掛け作業を行う際に操作されるものであり、本発明の「操作部」に相当する。ガイド操作部６１は、糸規制ガイド１２を巻取位置と糸掛け位置との間で移動させるための操作部である。ゴデットローラ操作部６２は、第２ゴデットローラ１４を巻取位置と糸掛け位置との間で移動させるための操作部である。支点ガイド操作部６３は、巻取装置１５に設けられており、複数の支点ガイド２４を巻取位置と糸掛け位置との間で移動させるための操作部である。支点ガイド操作部６３は、本発明の「糸掛け操作部」の一例である。巻取操作部６４は、巻取装置１５に設けられており、ボビンホルダモータ５３及びトラバース駆動部５４等を駆動させて、巻取装置１５に巻取動作を開始させるための操作部である。
【００７４】
下階のオペレータは、糸降ろし装置１６によって下階に降ろされた複数の糸Ｙをサクションガンによって受け取ると、まず、糸掛け位置にある糸規制ガイド１２に複数の糸Ｙを掛ける。糸規制ガイド１２に複数の糸Ｙを掛け終わったら、下階のオペレータは、ガイド操作部６１を操作して糸規制ガイド１２を巻取位置に戻す。続けて、下階のオペレータは、第１ゴデットローラ１３及び糸掛け位置にある第２ゴデットローラ１４に複数の糸Ｙを巻き掛け、さらに、糸掛け位置にある複数の支点ガイド２４に複数の糸Ｙを掛ける。複数の支点ガイド２４に複数の糸Ｙを掛け終わったら、下階のオペレータは、ゴデットローラ操作部６２を操作して第２ゴデットローラ１４を巻取位置に戻すとともに、支点ガイド操作部６３を操作して複数の支点ガイド２４を巻取位置に戻す。その後、下階のオペレータは、上側のボビンホルダ２２よりも下方の所定位置にサクション４３を移動させてから、巻取操作部６４を操作して巻取装置１５に巻取動作を開始させる。
【００７５】
下階のオペレータが糸掛け作業を行う場合、上述のように、その過程でオペレータは操作部６１〜６４を操作することになる。つまり、これらの操作部６１〜６４が操作されたということは、糸降ろし装置１６から下階のオペレータに複数の糸Ｙが既に引き渡されたことを示している。そこで、本実施形態では、操作部６１〜６４の何れかを本発明の「発信部」として機能させ、そこから発信される信号を本発明の「引渡完了信号」として使用している。
【００７６】
具体的には、ガイド操作部６１を発信部とする場合は、下階のオペレータが糸規制ガイド１２を巻取位置に戻すべくガイド操作部６１を操作した際に発信される信号が引渡完了信号として使用される。ゴデットローラ操作部６２を発信部とする場合は、下階のオペレータが第２ゴデットローラ１４を巻取位置に移動させるべくゴデットローラ操作部６２を操作した際に発信される信号が引渡完了信号として使用される。支点ガイド操作部６３を発信部とする場合は、下階のオペレータが複数の支点ガイド２４を巻取位置に移動させるべく支点ガイド操作部６３を操作した際に発信される信号が引渡完了信号として使用される。巻取操作部６４を発信部とする場合は、下階のオペレータが巻取装置１５に巻取動作を開始させるべく巻取操作部６４を操作した際に発信される信号が引渡完了信号として使用される。
【００７７】
何れの場合も、引取制御部１８が引渡完了信号を受信すると、引取制御部１８は報知部６５を所定の報知状態（光が点滅する状態や音を発する状態等）に切り換えることによって、上階のオペレータに下階で複数の糸Ｙの引き渡しが終わったことを報知する。そして、上階のオペレータは、報知部６５が報知状態であることによって下階での複数の糸Ｙの引き渡しが終わったことを知り、速やかに糸吸引部１７のバルブを閉じることができる。
【００７８】
（効果）
第２実施形態では、下階での糸Ｙの引き渡しが終わると、操作部６１〜６４の何れか（発信部）から引渡完了信号が発信され、そのことが報知部６５によって上階のオペレータに報知される。つまり、上階のオペレータが下階での糸Ｙの引き渡しが終わるまでその場で待機していなくても、糸Ｙの引き渡しが終われば報知部６５が作動することで、糸Ｙの引き渡しが終わったことをすぐに知ることができる。したがって、上階のオペレータの作業効率を悪化させることなく、上階の糸吸引部１７のバルブを速やかに閉じることが可能となる。
【００７９】
第２実施形態では、下階のオペレータによって糸掛け作業の際に操作される操作部６１〜６４の何れかが、本発明の発信部として引渡完了信号を発信する。このように、糸掛け作業の際にオペレータが操作する操作部６１〜６４の何れかを発信部として機能させることで、新たな発信部を設ける必要がない。したがって、コストを抑えることができる。
【００８０】
第２実施形態において、ガイド操作部６１が糸規制ガイド１２を移動させるために発信する信号が、引渡完了信号として使用される場合は、下階において最初の糸規制ガイド１２に糸Ｙを掛けるタイミングで引渡完了信号を発信することができる。つまり、下階のオペレータに糸Ｙが引き渡されてすぐに引渡完了信号を発信することができるので、上階の糸吸引部１７のバルブをより速やかに閉じることができる。
【００８１】
第２実施形態において、ゴデットローラ操作部６２が第２ゴデットローラ１４を糸掛け位置から巻取位置に移動させるために発信する信号が、引渡完了信号として使用される場合は、第２ゴデットローラ１４に糸Ｙを掛け終わったタイミングで引渡完了信号を発信することができる。
【００８２】
第２実施形態において、下階のオペレータによって操作されたときに支点ガイド操作部６３（糸掛け操作部）が発信する信号が、引渡完了信号として使用される場合は、複数の支点ガイド２４に糸Ｙを掛ける際に引渡完了信号を発信することができる。
【００８３】
第２実施形態において、支点ガイド操作部６３が複数の支点ガイド２４を互いに離間させるために発信する信号が、引渡完了信号として使用される場合は、複数の支点ガイド２４に糸Ｙを掛け終わったタイミングで引渡完了信号を発信することができる。なお、下階のオペレータが複数の支点ガイド２４を互いに隣接させるために支点ガイド操作部６３を操作する場合には、その際に支点ガイド操作部６３が発信する信号を、引渡完了信号として使用してもよい。
【００８４】
第２実施形態において、巻取操作部６４が巻取装置１５に巻き取りを開始させるために発信する信号が、引渡完了信号として使用される場合、巻取装置１５で糸Ｙの巻き取りを開始するタイミングで引渡完了信号を発信することができる。
【００８５】
［他の実施形態］
上記各実施形態に種々の変更を加えた変形例について説明する。
【００８６】
上記第１実施形態では、集中制御装置４から引渡完了信号が発信されると、糸吸引部１７の電磁バルブ１９を自動で閉じるものとした。しかしながら、電磁バルブ１９を自動で閉じる代わりに、上階に報知部を設け（操作パネル４９を報知部としてもよい）、集中制御装置４から引渡完了信号が発信されると、上階に設けた報知部が作動するようにしてもよい。
【００８７】
上記第２実施形態では、下階のオペレータが操作部６１〜６４の何れかを操作して引渡完了信号が発信されると、上階に設けた報知部６５が作動するものとした。しかしながら、報知部６５を設ける代わりに、下階のオペレータが操作部６１〜６４の何れかを操作すると、糸吸引部１７の電磁バルブが自動で閉められるようにしてもよい。
【００８８】
上記第１実施形態では、集中制御装置４が本発明の発信部として機能し、上記第２実施形態では、操作部６１〜６４の何れかが本発明の発信部として機能するものとした。しかしながら、集中制御装置４及び操作部６１〜６４以外のものを発信部として機能させるようにしてもよい。例えば、第１実施形態において、糸掛けロボット３（ロボット制御部４５）が引渡完了信号を発信するようにしてもよい。この場合、集中制御装置４を省略することが可能となり、糸掛けロボット３が他の制御部（引取制御部１８）と直接やり取りすることが可能となる。また、第２実施形態において、糸Ｙの引き渡しが終わった後に操作される専用の操作部を下階に設け、この操作部が引渡完了信号を発信するようにしてもよい。
【００８９】
上記第１実施形態では、糸掛けロボット３がカッター４４によって複数の糸Ｙを切断する際に引渡完了信号が発信されるものとした。しかしながら、糸掛けロボット３が他の動作を行う際に引渡完了信号が発信されるようにしてもよい。
【００９０】
上記第１実施形態では、カッター駆動部４８によってカッター４４そのものが駆動されることで、複数の糸Ｙが切断されるものとした。しかしながら、例えば特開２０１２−１２７０１１号公報、特開２０１７−８２３７６号公報、ＷＯ２０１５／１９８６９８等に記載のカッターのように、カッターそのものが駆動されるのではなく、カッター以外の部材が駆動されることで、カッターに複数の糸が案内されて切断される構成を採用してもよい。
【００９１】
上記第２実施形態では、下階での糸Ｙの引き渡しが終わったことを報知する報知部６５が上階に設置されているものとしたが、報知部６５の構成はこれに限定されない。例えば、上階のオペレータが携帯可能な端末装置を報知部として採用してもよい。
【００９２】
上記各実施形態では、複数の支点ガイド２４が巻取位置と糸掛け位置との間で移動可能に構成した。しかしながら、例えば特開２０１２−１８８７８４号公報、ＷＯ２０１８／１３４０４８等に記載されているように、複数の支点ガイドに複数の糸を掛けるための糸掛けガイドを備えた構成を採用してもよい。具体的には、複数の支点ガイドは互いに離間した状態で固定されており、複数の糸が掛けられた状態の糸掛けガイドが移動することによって、各支点ガイドに順番に糸が掛けられていく。この糸掛けガイドは、下階のオペレータによって操作される糸掛け操作部によって駆動される。この場合、糸掛け操作部が糸掛けガイドを移動させるために発信する信号を、引渡完了信号として使用してもよい。
【００９３】
上記各実施形態の電気的構成（図３及び図１２参照）を変更してもよい。例えば、引取制御部１８と巻取制御部２６とは必ずしも別に構成される必要はなく、一体的に構成されてもよい。また、ロボット制御部４５と操作パネル４９とが、互いに信号を直接的に送受信可能に接続されていてもよい。また、集中制御装置４が各紡糸引取装置２の電磁バルブ１９や報知部６５を直接制御する構成でもよい。
【００９４】
上記各実施形態では、糸規制ガイド１２がガイド駆動部５１によって移動させるものとしたが、糸規制ガイド１２を手動で移動させるようにしてもよい。あるいは、糸規制ガイド１２が移動しない構成でもよい。これらの場合、第２実施形態のガイド操作部６１は不要である。
【００９５】
上記各実施形態では、２つのゴデットローラ１３、１４が設けられるものとしたが、ゴデットローラの数は２つ以外でもよい。また、第２ゴデットローラ１４をゴデットローラ駆動部５２によって移動させる構成としたが、第２ゴデットローラ１４を手動で移動させるようにしてもよい。あるいは、第２ゴデットローラ１４が移動しない構成でもよい。これらの場合、第２実施形態のゴデットローラ操作部６２は不要である。
【符号の説明】
【００９６】
１：紡糸引取設備
２：紡糸引取装置
３：糸掛けロボット
４：集中制御装置（発信部）
１２：糸規制ガイド
１４：第２ゴデットローラ（ゴデットローラ）
１５：巻取装置
１６：糸降ろし装置
１７：糸吸引部
１８：引取制御部（バルブ制御部）
１９：電磁バルブ（バルブ）
２５：支点ガイド
４４：カッター
４９：操作パネル（呼出部）
６１：ガイド操作部（発信部、操作部）
６２：ゴデットローラ操作部（発信部、操作部）
６３：支点ガイド操作部（発信部、操作部、糸掛け操作部）
６４：巻取操作部（発信部、操作部）
６５：報知部
１００：紡糸装置
Ｙ：糸
【図１】
2020176337.tif 000003
【図２】
2020176337.tif 000004
【図３】
2020176337.tif 000005
【図４】
2020176337.tif 000006
【図５】
2020176337.tif 000007
【図６】
2020176337.tif 000008
【図７】
2020176337.tif 000009
【図８】
2020176337.tif 000010
【図９】
2020176337.tif 000011
【図１０】
2020176337.tif 000012
【図１１】
2020176337.tif 000013
【図１２】
2020176337.tif 000014
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
上階に配置された紡糸装置から紡出される複数の糸を下階に配置された巻取装置で巻き取るように構成された紡糸引取装置を複数備える紡糸引取設備であって、
前記各紡糸引取装置は、
前記上階に配置された糸吸引部と、
前記糸吸引部によって保持されている前記複数の糸を前記上階から前記下階に降ろす糸降ろし装置と、
を有しており、
少なくとも１つの前記紡糸引取装置において、前記糸降ろし装置によって前記下階に降ろされた前記複数の糸が、前記下階の糸掛けロボット又はオペレータに引き渡されたことを示す引渡完了信号を発信する発信部と、
前記発信部から前記引渡完了信号が発信されると、前記少なくとも１つの紡糸引取装置の前記糸吸引部のバルブを閉じるバルブ制御部と、
を備えることを特徴とする紡糸引取設備。
【請求項２】
上階に配置された紡糸装置から紡出される複数の糸を下階に配置された巻取装置で巻き取るように構成された紡糸引取装置を複数備える紡糸引取設備であって、
前記各紡糸引取装置は、
前記上階に配置された糸吸引部と、
前記糸吸引部によって保持されている前記複数の糸を前記上階から前記下階に降ろす糸降ろし装置と、
を有しており、
少なくとも１つの前記紡糸引取装置において、前記糸降ろし装置によって前記下階に降ろされた前記複数の糸が、前記下階の糸掛けロボット又はオペレータに引き渡されたことを示す引渡完了信号を発信する発信部と、
前記発信部から前記引渡完了信号が発信されると、前記少なくとも１つの紡糸引取装置において前記複数の糸の引き渡しが完了したことを前記上階のオペレータに報知する報知部と、
を備えることを特徴とする紡糸引取設備。
【請求項３】
前記発信部は、前記糸掛けロボットが所定の動作を実行する際に前記引渡完了信号を発信することを特徴とする請求項１又は２に記載の紡糸引取設備。
【請求項４】
前記糸掛けロボットは、前記糸降ろし装置によって前記下階に降ろされた前記複数の糸を受け取る際に前記複数の糸を切断するカッターを有しており、
前記発信部は、前記糸掛けロボットが前記カッターによって前記複数の糸を切断する際に前記引渡完了信号を発信することを特徴とする請求項３に記載の紡糸引取設備。
【請求項５】
前記発信部は、前記糸掛けロボットが前記カッターによって前記複数の糸を切断するための動作を開始してから所定時間経過後に前記引渡完了信号を発信することを特徴とする請求項４に記載の紡糸引取設備。
【請求項６】
前記複数の紡糸引取装置及び前記糸掛けロボットを制御する集中制御装置を備え、
前記集中制御装置が、前記発信部として前記引渡完了信号を発信することを特徴とする請求項３〜５の何れか１項に記載の紡糸引取設備。
【請求項７】
前記糸掛けロボットが、前記発信部として前記引渡完了信号を発信することを特徴とする請求項３〜５の何れか１項に記載の紡糸引取設備。
【請求項８】
前記糸掛けロボットを呼び出すための呼出部が前記上階に設けられていることを特徴とする請求項１〜７の何れか１項に記載の紡糸引取設備。
【請求項９】
前記下階のオペレータによって糸掛け作業の際に操作される操作部が、前記発信部として前記引渡完了信号を発信することを特徴とする請求項１又は２に記載の紡糸引取設備。
【請求項１０】
前記各紡糸引取装置は、
前記下階において最初に前記複数の糸が掛けられ、且つ、糸掛け作業の際に移動させられる糸規制ガイドと、
前記操作部として、前記糸規制ガイドを移動させるためのガイド操作部と、
を有しており、
前記ガイド操作部が前記糸規制ガイドを移動させるために発信する信号が、前記引渡完了信号として使用されることを特徴とする請求項９に記載の紡糸引取設備。
【請求項１１】
前記各紡糸引取装置は、
糸掛け位置で前記複数の糸が掛けられ、前記複数の糸が掛けられると巻取位置に移動させられるゴデットローラと、
前記操作部として、前記ゴデットローラを前記糸掛け位置から前記巻取位置に移動させるためのゴデットローラ操作部と、
を有しており、
前記ゴデットローラ操作部が前記ゴデットローラを前記糸掛け位置から前記巻取位置に移動させるために発信する信号が、前記引渡完了信号として使用されることを特徴とする請求項９に記載の紡糸引取設備。
【請求項１２】
前記各紡糸引取装置の前記巻取装置は、
前記複数の糸をトラバースさせる際の支点となる複数の支点ガイドと、
前記操作部として、前記複数の支点ガイドに前記複数の糸を掛ける際に前記下階のオペレータによって操作される糸掛け操作部と、
を有しており、
前記下階のオペレータによって操作されたときに前記糸掛け操作部が発信する信号が、前記引渡完了信号として使用されることを特徴とする請求項９に記載の紡糸引取設備。
【請求項１３】
前記複数の支点ガイドは、互いに隣接した状態で前記複数の糸が掛けられ、前記複数の糸が掛けられると互いに離間するように構成されており、
前記糸掛け操作部は、前記複数の支点ガイドを少なくとも互いに離間させるためのものであり、
前記糸掛け操作部が前記複数の支点ガイドを互いに離間させるために発信する信号が、前記引渡完了信号として使用されることを特徴とする請求項１２に記載の紡糸引取設備。
【請求項１４】
前記各紡糸引取装置の前記巻取装置は、前記複数の糸が掛けられた状態で移動することで、前記複数の支点ガイドに前記複数の糸を掛ける糸掛けガイドをさらに有しており、
前記糸掛け操作部は、前記糸掛けガイドを移動させるためのものであり、
前記糸掛け操作部が前記糸掛けガイドを移動させるために発信する信号が、前記引渡完了信号として使用されることを特徴とする請求項１２に記載の紡糸引取設備。
【請求項１５】
前記各紡糸引取装置の前記巻取装置は、前記操作部として、前記巻取装置に前記複数の糸の巻き取りを開始させるための巻取操作部を有しており、
前記巻取操作部が前記巻取装置に前記複数の糸の巻き取りを開始させるために発信する信号が、前記引渡完了信号として使用されることを特徴とする請求項９に記載の紡糸引取設備。
【手続補正２】
【補正対象書類名】明細書
【補正対象項目名】００７４
【補正方法】変更
【補正の内容】
【００７４】
下階のオペレータは、糸降ろし装置１６によって下階に降ろされた複数の糸Ｙをサクションガンによって受け取ると、まず、糸掛け位置にある糸規制ガイド１２に複数の糸Ｙを掛ける。糸規制ガイド１２に複数の糸Ｙを掛け終わったら、下階のオペレータは、ガイド操作部６１を操作して糸規制ガイド１２を巻取位置に戻す。続けて、下階のオペレータは、第１ゴデットローラ１３及び糸掛け位置にある第２ゴデットローラ１４に複数の糸Ｙを巻き掛け、さらに、糸掛け位置にある複数の支点ガイド２４に複数の糸Ｙを掛ける。複数の支点ガイド２４に複数の糸Ｙを掛け終わったら、下階のオペレータは、ゴデットローラ操作部６２を操作して第２ゴデットローラ１４を巻取位置に戻すとともに、支点ガイド操作部６３を操作して複数の支点ガイド２４を巻取位置に戻す。その後、下階のオペレータは、上側のボビンホルダ２２よりも下方の所定位置にサクションガンを移動させてから、巻取操作部６４を操作して巻取装置１５に巻取動作を開始させる。